(57)【要約】【課題】  幅サイズが異なる複数の種類のカードに接続することができるカード用コネクタを提供する。【解決手段】  イジェクトプレート４，５は、各カードの嵌合離脱方向に移動可能にインシュレータ１に保持される。サポートプレート６は、各カードの嵌合離脱方向及びこの方向に直交する方向に移動可能に、かつ、インシュレータに設けられている２つの突起１ｃ１，１ｃ２のうち選択された一方を支点（中心）として回転可能にイジェクトレバー７に保持される。イジェクトレバーは、カバーに回転可能に保持され、かつ、イジェクトレバーの回転中心は、各カードに応じて各カードの嵌合離脱方向に直交する方向に変位可能である。各カードに応じてイジェクトレバーとサポートプレートを一体的に変位させた後、イジェクトレバーを回転させると、各カードの１枚又は２枚を離脱することができる。【選択図】      図１
2005197053.tif 000002
【特許請求の範囲】
【請求項１】
幅サイズが異なる２又は３種類の第１のカード、第２のカード及び第３のカードと接続することができるカード用コネクタにおいて、
前記カード用コネクタは、インシュレータと、前記インシュレータに保持されている複数のコンタクトと、前記各カードの受容部と、前記各カードを離脱するためのイジェクト機構と、カバーとを有し、
前記イジェクト機構は、前記各カードと当接し、前記各カードを離脱するための２つのイジェクトプレートと、前記各イジェクトプレートを操作するサポートプレートと、前記サポートプレートを操作するイジェクトレバーとを有し、
前記各イジェクトプレートは、前記各カードの嵌合離脱方向に移動可能に前記インシュレータに保持され、
前記サポートプレートは、前記各カードの嵌合離脱方向及び前記嵌合離脱方向に直交する方向に移動可能に、かつ、前記インシュレータに設けられている２つの支点のうち選択された一方を中心として回転可能に前記イジェクトレバーに保持され、
前記イジェクトレバーは、前記カバーに回転可能に保持され、かつ、前記イジェクトレバーの回転中心は、前記各カードに応じて前記各カードの嵌合離脱方向に直交する方向に変位可能であり、
前記各カードに応じて前記イジェクトレバーと前記サポートプレートを一体的に変位させた後、前記イジェクトレバーを回転させることによって、前記各カードの１枚又は２枚を離脱することを特徴とするカード用コネクタ。
【請求項２】
前記インシュレータに設けられている２つの支点は、突起であり、
前記各イジェクトプレートには、略Ｌ字形状溝が設けられ、前記略Ｌ字形状溝は、長溝部と、短溝部と、前記短溝部の奧部とから構成され、
前記サポートプレートには、２つの突起が設けられ、
前記各イジェクトプレートの短溝部及び奧部は、それぞれ前記インシュレータの各突起にはめられ、
前記サポートプレートの各突起は、それぞれ前記各イジェクトプレートの長溝部に挿入されることを特徴とする請求項１記載のカード用コネクタ。
【請求項３】
前記カバーはシェルであることを特徴とする請求項１記載のカード用コネクタ。
【発明の詳細な説明】
【技術分野】
【０００１】
本発明は、幅サイズが異なる２種類又は３種類のカードを接続可能なカード用コネクタに関する。
【背景技術】
【０００２】
従来のカード用コネクタには、諸々の種類があるが、その一例を説明する。
【０００３】
カード用コネクタは、インシュレータと、インシュレータに保持されるコンタクトと、カードの受容部と、カードを排出するためのイジェクト機構と、カバーとを有する。
【０００４】
イジェクト機構は、カードと当接し、カードを排出するためのイジェクトプレートと、イジェクトプレートを操作するサポートプレートと、サポートプレートを操作するイジェクトレバーとを有する。
【０００５】
このようなカード用コネクタは、文献を提示するまでもなく、斯界では周知である。
【発明の開示】
【発明が解決しようとする課題】
【０００６】
前記従来のカード用コネクタには、１種類のカードしか接続することができない。したがって、幅サイズが異なる複数の種類のカードに対しては、複数のカード用コネクタを用意せざるを得ないので、不便である。
【０００７】
そこで、本発明は、前記従来のカード用コネクタの欠点を改良し、幅サイズが異なる複数の種類のカードに接続することができるカード用コネクタを提供しようとするものである。
【課題を解決するための手段】
【０００８】
本発明は、前記課題を解決するため、次の手段を採用する。
【０００９】
１．幅サイズが異なる２又は３種類の第１のカード、第２のカード及び第３のカードと接続することができるカード用コネクタにおいて、前記カード用コネクタは、インシュレータと、前記インシュレータに保持されている複数のコンタクトと、前記各カードの受容部と、前記各カードを離脱するためのイジェクト機構と、カバーとを有し、前記イジェクト機構は、前記各カードと当接し、前記各カードを離脱するための２つのイジェクトプレートと、前記各イジェクトプレートを操作するサポートプレートと、前記サポートプレートを操作するイジェクトレバーとを有し、前記各イジェクトプレートは、前記各カードの嵌合離脱方向に移動可能に前記インシュレータに保持され、前記サポートプレートは、前記各カードの嵌合離脱方向及び前記嵌合離脱方向に直交する方向に移動可能に、かつ、前記インシュレータに設けられている２つの支点（突起１ｃ１，１ｃ２）のうち選択された一方を中心として回転可能に前記イジェクトレバーに保持され、前記イジェクトレバーは、前記カバーに回転可能に保持され、かつ、前記イジェクトレバーの回転中心（突起７ｂ、保持部８ａ１，８ａ２，８ａ３）は、前記各カードに応じて前記各カードの嵌合離脱方向に直交する方向に変位可能であり、前記各カードに応じて前記イジェクトレバーと前記サポートプレートを一体的に変位させた後、前記イジェクトレバーを回転させることによって、前記各カードの１枚又は２枚を離脱するカード用コネクタ。
【００１０】
２．前記インシュレータに設けられている２つの支点は、突起であり、前記各イジェクトプレートには、略Ｌ字形状溝が設けられ、前記略Ｌ字形状溝は、長溝部と、短溝部と、前記短溝部の奧部とから構成され、前記サポートプレートには、２つの突起が設けられ、前記各イジェクトプレートの短溝部及び奧部は、それぞれ前記インシュレータの各突起にはめられ、前記サポートプレートの各突起は、それぞれ前記各イジェクトプレートの長溝部に挿入される前記１記載のカード用コネクタ。
【００１１】
３．前記カバーはシェルである前記１記載のカード用コネクタ。
【発明の効果】
【００１２】
明細書の説明から明らかなように、本発明は、次の効果を奏する。
【００１３】
１．本カード用コネクタは、幅サイズが異なる２又は３種類のカードに接続することができるので、用意が必要なカード用コネクタが減少する。
【００１４】
２．幅サイズが最も大きいカード以外の２枚のカードの幅サイズは等しいか否かを問わず、また、２枚のカードの挿入嵌合と離脱排出は別個か一緒かを問わないので、便利である。
【００１５】
３．従来のインシュレータ、イジェクトプレート、サポートプレート及びイジェクトレバーに若干の加工を施すのみで済む。したがって、部品点数が増加することなく、構造が簡素で、コストが安価である。
【発明を実施するための最良の形態】
【００１６】
本発明の一実施例の幅サイズが異なる２種類のカードを選択使用可能なカード用コネクタについて説明する。
【実施例１】
【００１７】
本発明の実施例１のカード用コネクタについて図１〜図６を参照して説明する。
【００１８】
カード用コネクタの全体的構成について図１〜図３を参照して説明する。カード用コネクタは、コ字形状のインシュレータ１と、インシュレータ１に保持される２組のコンタクト２，３と、ＩＣカードを離脱するための２個の対称構造のイジェクトプレート４，５と、イジェクトプレート４，５をＩＣカードの離脱方向に移動させるためのサポートプレート６と、サポートプレート６をＩＣカードの離脱方向及びこの方向に直交する方向に移動させるためのイジェクトレバー７と、カード用コネクタのカバー８とを有する。
【００１９】
インシュレータ１は、両辺部１ａ，１ｂと連結部１ｃとからコ字形状に構成され、連結部１ｃの表面の２箇所には半円形状の突起１ｃ１，１ｃ２が設けられ、また、連結部１ｃに２組のコンタクト２，３が保持されている。
【００２０】
イジェクトプレート４，５には、それぞれ中央部に略Ｌ字形状溝４ａ，５ａが設けられ、また、前面の両端側からカードを押圧するための押圧部４ｂ，５ｂが折曲形成されている。
【００２１】
サポートプレート６には、表面の中央部に突起６ａが設けられ、裏面の両端部付近にそれぞれ突起６ｂ，６ｃが設けられている。
【００２２】
イジェクトレハー７には、一端付近に穴７ａが設けられ、穴７ａから若干離れたイジェクトレバー７の表面の箇所に突起７ｂが設けられている。
【００２３】
カード用コネクタのインシュレータ１の表面を被覆するカバー８には、長穴８ａが設けられ、更に、長穴８ａの３箇所には、イジェクトレバー７が回転するときの支点となる突起７ｂを保持する保持部８ａ１，８ａ２，８ａ３が設けられている。
【００２４】
カード用コネクタの組立方法について図１と図２を参照して説明する。まず、インシュレータ１にイジェクトプレート４，５を図２に示される位置に装着する。このとき、イジェクトプレート４，５の略Ｌ字形状溝４ａ，５ａの短溝部４ａ２，５ａ２の奧部４ａ３，５ａ３は、インシュレータの突起１ｃ１，１ｃ２にそれぞれはまる。次に、サポートプレート６の突起６ｂ，６ｃをイジェクトプレート４，５の略Ｌ字形状溝４ａ，５ａの長溝部４ａ１，５ａ１に挿入し、サポートプレート６をイジェクトプレート４，５上にかけ渡すように載置する。続いて、イジェクトレバー７の穴７ａをサポートプレート６の突起６ａにはめ込む。すると、カードコネクタは、図２に示される状態に至る。更に、この状態のカードコネクタにカバー８を被覆すると、イジェクトレバー７の突起７ｂはカバー８の長穴８ａの３箇所の保持部８ａ１，８ａ２，８ａ３のいずれかに保持される。この点の詳細については後述する。
【００２５】
ＩＣカード（図示せず）は、操作者の手指によってカード用コネクタのカード受容部１ｄに挿入される。
【００２６】
ＩＣカードが所定のサイズのＩＣカード１１の２倍のサイズのＩＣカード１２である場合の離脱方法について図４を参照して説明する。２枚のＩＣカード１１を同時に離脱する方法も同様である。イジェクトレバー７の突起７ｂは、カバー８の保持部８ａ２に保持されている。イジェクトレバー７を突起７ｂを支点として矢印Ａ方向に回転させると、穴７ａがサポートプレート６の突起６ａにはまっているので、サポートプレート６は矢印Ｂ方向に移動する。このとき、サポートプレート６の突起６ｂ，６ｃは、インシュレータ１の突起１ｃ１，１ｃ２に当接しない。すると、突起６ｂ，６ｃがイジェクトプレート４，５を矢印Ｂ方向に移動させるので、イジェクトプレート４の押圧部４ｂ，４ｂとイジェクトプレート５の押圧部５ｂ，５ｂはＩＣカード１２の先端部を排出方向に押圧する。したがって、ＩＣカード１２の接続部（図示せず）はコンタクト２，３の接続部２ａ，３ａとの接続から離脱し、ＩＣカード１２はカード用コネクタから排出される。
【００２７】
インシュレータ１の右側に挿入されている所定のサイズのＩＣカード１１を離脱する場合について図５を参照して説明する。イジェクトレバー７を矢印Ｃ方向に移動させると、突起７ｂはカバー８の保持部８ａ３に保持され、穴７ａがサポートプレート６の突起６ａにはまっているので、サポートプレート６も矢印Ｃ方向に移動する。すると、突起６ｂは、サポートプレート６が矢印Ｂ方向に移動するとき、インシュレータ１の突起１ｃ１に当接することができる位置まで移動する。イジェクトレバー７を突起７ｂを支点として矢印Ａ方向に回転させると、穴７ａがサポートプレート６の突起６ａにはまっているので、サポートプレート６は矢印Ｂ方向に移動しようとする。しかし、突起６ｂが突起１ｃ１に当接するため、サポートプレート６は突起６ｂを支点として右回転する。したがって、突起６ｃがイジェクトプレート５を矢印Ｂ方向に移動させるので、イジェクトプレート５の押圧部５ｂ，５ｂは右側のＩＣカード１１の先端部を排出方向に押圧する。したがって、右側のＩＣカード１１の接続部（図示せず）はコンタクト３の接続部３ａとの接続から離脱し、右側のＩＣカード１１はカード用コネクタから排出される。
【００２８】
インシュレータ１の左側に挿入されている所定のサイズのＩＣカード１１を離脱する場合について図６を参照して説明する。イジェクトレバー７を矢印Ｄ方向に移動させると、突起７ｂはカバー８の保持部８ａ１に保持され、穴７ａがサポートプレート６の突起６ａにはまっているので、サポートプレート６も矢印Ｄ方向に移動する。すると、突起６ｃは、サポートプレート６が矢印Ｂ方向に移動するとき、インシュレータ１の突起１ｃ２に当接することができる位置まで移動する。イジェクトレバー７を突起７ｂを支点として矢印Ａ方向に回転させると、穴７ａがサポートプレート６の突起６ａにはまっているので、サポートプレート６は矢印Ｂ方向に移動しようとする。しかし、突起６ｃが突起１ｃ２に当接するため、サポートプレート６は突起６ｃを支点として左回転する。したがって、突起６ｂがイジェクトプレート４を矢印Ｂ方向に移動させるので、イジェクトプレート４の押圧部４ｂ，４ｂは左側のＩＣカード１１の先端部を排出方向に押圧する。したがって、左側のＩＣカード１１の接続部（図示せず）はコンタクト２の接続部２ａとの接続から離脱し、左側のＩＣカード１１はカード用コネクタから排出される。
【００２９】
実施例１においては、ＩＣカード１２の幅サイズはＩＣカード１１の幅サイズの２倍である。しかし、右側のＩＣカード１１の幅サイズと左側のＩＣカード１１の幅サイズを異ならせることもできる。例えば、ＩＣカード１２の幅サイズと右側のＩＣカード１１の幅サイズと左側のＩＣカード１１の幅サイズとの比を、３：１：２、５：２：３等に選定することもできる。
【００３０】
また、カバー８として既存のシェルを利用することができる。
【図面の簡単な説明】
【００３１】
【図１】本発明の実施例１のカード用コネクタの分解斜視図である。ただし、カバーは、除かれている。
【図２】同カード用コネクタが組立られた状態の斜視図である。
【図３】同カバーの正面図である。
【図４】幅サイズが最も大きいカードが同カード用コネクタに挿入された状態の正面図であり、（Ａ）は嵌合状態、（Ｂ）は離脱状態を、それぞれ示す。
【図５】幅サイズが小さい２枚のカードが同カード用コネクタに挿入された状態の正面図であり、（Ａ）は嵌合状態、（Ｂ）は右側の同カードが離脱した状態を、それぞれ示す。
【図６】幅サイズが小さい２枚の同カードが同カード用コネクタに挿入された状態の正面図であり、（Ａ）は嵌合状態、（Ｂ）は左側の同カードが離脱した状態を、それぞれ示す。
【符号の説明】
【００３２】
１  インシュレータ
１ａ  辺部
１ｂ  辺部
１ｃ  連結部
１ｃ１  突起
１ｃ２  突起
２  コンタクト
２ａ  接続部
３  コンタクト
３ａ  接続部
４  イジェクトプレート
４ａ  略Ｌ字形状溝
４ａ１  長溝部
４ａ２  短溝部
４ａ３  奧部
４ｂ  押圧部
５  イジェクトプレート
５ａ  略Ｌ字形状溝
５ａ１  長溝部
５ａ２  短溝部
５ａ３  奧部
５ｂ  押圧部
６  サポートプレート
６ａ  突起
６ｂ  突起
６ｃ  突起
７  イジェクトレバー
７ａ  穴
７ｂ  突起
８  カバー
８ａ  長穴
８ａ１  保持部
８ａ２  保持部
８ａ３  保持部
１１  ＩＣカード
１２  ＩＣカード
【図１】
2005197053.tif 000003
【図２】
2005197053.tif 000004
【図３】
2005197053.tif 000005
【図４】
2005197053.tif 000006
【図５】
2005197053.tif 000007
【図６】
2005197053.tif 000008